(57)【要約】【課題】本発明の目的は、折り畳み領域の変形を防止できるディスプレイ装置を提供する。【解決手段】本発明によるディスプレイ装置は、第１の非折り畳み（ｎｏｎ−ｆｏｌｄｉｎｇ）領域と、第２の非折り畳み領域と、前記第１の非折り畳み領域と第２の非折り畳み領域との間に配置される折り畳み（ｆｏｌｄｉｎｇ）領域と、を含むディスプレイモジュールと、前記第１の非折り畳み領域の下に配置される第１の支持部と、前記第２の非折り畳み領域の下に配置される第２の支持部と、前記折り畳み領域の下に配置されるヒンジ部と、前記折り畳み領域と前記ヒンジ部との間に配置されるシート部と、前記シート部と前記ヒンジ部との間に配置され、平面上から見たとき、前記ヒンジ部の一部と重畳する、複数の開口部が定義された支持板と、を備える。【選択図】  図８
2020184065.tif 000002
【特許請求の範囲】
【請求項１】
第１の非折り畳み（ｎｏｎ−ｆｏｌｄｉｎｇ）領域と、第２の非折り畳み領域と、前記第１の非折り畳み領域と第２の非折り畳み領域との間に配置される折り畳み（ｆｏｌｄｉｎｇ）領域と、を含むディスプレイモジュールと、
前記第１の非折り畳み領域の下に配置される第１の支持部と、
前記第２の非折り畳み領域の下に配置される第２の支持部と、
前記折り畳み領域の下に配置されるヒンジ部と、
前記折り畳み領域と前記ヒンジ部との間に配置されるシート部と、
前記シート部と前記ヒンジ部との間に配置され、平面上から見たとき、前記ヒンジ部の一部と重畳する、複数の開口部が定義された支持板と、を備えることを特徴とするディスプレイ装置。
【請求項２】
前記ヒンジ部は、固定部と、
前記固定部の一側に回動可能に連結された第１のヒンジと、
前記固定部の他側に回動可能に連結された第２のヒンジと、を含み、
前記第１の非折り畳み領域、第２の非折り畳み領域、及び前記折り畳み領域は、第１の方向に配列され、
前記固定部は、前記第１の方向と交差する第２の方向に延長され、前記固定部の前記一側及び前記固定部の前記他側は、前記第１の方向に互いに対向する前記固定部の両側として定義されることを特徴とする請求項１に記載のディスプレイ装置。
【請求項３】
前記第１のヒンジは、前記固定部の前記一側に定義されて前記第２の方向に延長する第１の回転軸を中心に回動し、
前記第２のヒンジは、前記固定部の前記他側に定義されて前記第２の方向に延長する第２の回転軸を中心に回動することを特徴とする請求項２に記載のディスプレイ装置。
【請求項４】
前記開口部は、前記第１の回転軸及び前記第２の回転軸と重畳することを特徴とする請求項３に記載のディスプレイ装置。
【請求項５】
前記開口部は、前記第２の方向に延長して前記第１の方向及び前記第２の方向に配列されることを特徴とする請求項３に記載のディスプレイ装置。
【請求項６】
前記開口部は、前記第１の方向及び前記第２の方向に配列される複数の第１の開口部と、
前記第１の方向及び前記第２の方向に配列されて、前記第１の方向に配列された前記第１の開口部の間に配置される複数の第２の開口部と、を含み、
前記第２の開口部と前記第１の開口部は、互いにずれて配置される（ｄｉｓｐｏｓｅｄ  ｔｏ  ｍｉｓｓ  ｅａｃｈ  ｏｔｈｅｒ）ことを特徴とする請求項５に記載のディスプレイ装置。
【請求項７】
前記ヒンジ部は、前記固定部の前記両側に配置されて前記第２の方向に延長する複数の第１の連結部と、
前記固定部の前記一側と向き合う前記第１のヒンジの一側に配置されて前記第２の方向に延長する複数の第２の連結部と、
前記固定部の前記他側と向き合う前記第２のヒンジの一側に配置されて前記第２の方向に延長する複数の第３の連結部と、をさらに含み、
前記第１の連結部は、前記第２の連結部の間、及び前記第３の連結部の間に配置されて、前記第２の連結部及び前記第３の連結部と回動可能に結合されることを特徴とする請求項２に記載のディスプレイ装置。
【請求項８】
前記第１のヒンジ及び第２のヒンジが回動するとき、前記ディスプレイモジュールが、外部に露出するように外向きに折り畳む（ｏｕｔ−ｆｏｌｄｅｄ）ことを特徴とする請求項２に記載のディスプレイ装置。
【請求項９】
前記ヒンジ部は、前記第１のヒンジと前記第１の支持部とに連結された第１のサブヒンジと、
前記第２のヒンジと前記第２の支持部とに連結された第２のサブヒンジと、をさらに含むことを特徴とする請求項２に記載のディスプレイ装置。
【請求項１０】
前記第１のヒンジは、前記第２の方向に延長する第１の延長部と、
前記固定部と向き合う前記第１の延長部の一側の反対側である前記第１の延長部の他側から前記第１の方向に延長する複数の第２の延長部と、を含み、
前記第２のヒンジは、前記第２の方向に延長する第３の延長部と、
前記固定部と向き合う前記第３の延長部の一側の反対側である前記第３の延長部の他側から前記第１の方向に延長する複数の第４の延長部と、を含むことを特徴とする請求項９に記載のディスプレイ装置。
【請求項１１】
前記第１の延長部及び前記第２の延長部は、前記第１のサブヒンジの上面に定義された第１の溝に配置され、
前記第１の溝は、前記第１の延長部及び前記第２の延長部に対応する形状を有し、
前記第３の延長部及び前記第４の延長部は、前記第２のサブヒンジの上面に定義された第２の溝に配置され、
前記第２の溝は、前記第３の延長部及び前記第４の延長部に対応する形状を有することを特徴とする請求項１０に記載のディスプレイ装置。
【請求項１２】
前記ヒンジ部が平坦な状態であるとき、前記第１の延長部及び第２の延長部は、前記第１の溝の境界と離隔され、
前記第３の延長部及び第４の延長部は、前記第２の溝の境界と離隔され、
前記第１のヒンジ及び第２のヒンジが回動して前記ヒンジ部が折り畳まれる（ｆｏｌｄｅｄ）とき、前記第１の延長部及び第２の延長部は、前記第１の溝の境界に隣接し、
前記第３の延長部及び第４の延長部は、前記第２の溝の境界に隣接することを特徴とする請求１１に記載のディスプレイ装置。
【請求項１３】
前記第２の延長部の下部に連結された複数の第１のスライディングユニットと、
前記第４の延長部の下部に連結された複数の第２のスライディングユニットと、をさらに備え、
前記第１のスライディングユニットは、前記第１のサブヒンジで定義されて前記第１の方向に延長する第１の移動ホールに配置されて前記第１の移動ホールを沿って移動し、
前記第２のスライディングユニットは、前記第２のサブヒンジで定義されて前記第１の方向に延長する第２の移動ホールに配置されて前記第２の移動ホールを沿って移動し、
前記第１の移動ホールは、前記第１の溝が定義された前記第１のサブヒンジの部分で定義され、
前記第２の移動ホールは、前記第２の溝が定義された前記第２のサブヒンジの部分で定義されることを特徴とする請求項１０に記載のディスプレイ装置。
【請求項１４】
前記第１のスライディングユニット及び第２のスライディングユニットは、前記第１のヒンジ及び第２のヒンジが回動して前記ディスプレイモジュールが折り畳まれるとき、前記第１の支持部及び第２の支持部に向かって各々移動することを特徴とする請求項１３に記載のディスプレイ装置。
【請求項１５】
前記第１及び第２のスライディングユニットは、前記第１の溝及び第２の溝が定義された前記第１のサブヒンジの部分及び第２のサブヒンジの部分よりも下に延長し、
前記第２の方向を基準に前記第１のスライディングユニット及び第２のスライディングユニットの下部の各々の幅は、前記第１の移動ホール及び第２の移動ホールの各々よりも大きいことを特徴とする請求項１３に記載のディスプレイ装置。
【請求項１６】
前記固定部は、前記第２の方向に互いに対向する前記固定部の両側に隣接する前記固定部の部分として各々定義される第１の部分及び第２の部分と、
前記第１の部分と前記第２の部分との間の第１のボディ部と、を含み、
前記第１のサブヒンジは、前記第２の方向に互いに対向する前記第１のサブヒンジの両側に隣接する前記第１のサブヒンジの部分として各々定義される第３の部分及び第４の部分と、
前記第３の部分と前記第４の部分との間の第２のボディ部と、を含み、
前記第２のサブヒンジは、前記第２の方向に互いに対向する前記第２のサブヒンジの両側に隣接する前記第２のサブヒンジの部分として各々定義される第５の部分及び第６の部分と、
前記第５の部分と前記第６の部分との間の第３のボディ部と、を含み、
前記第１の部分は、前記第３の部分と前記第５の部分との間に配置され、前記第２の部分は、前記第４の部分と前記第６の部分との間に配置され、
前記支持板及び前記シート部は、前記第１、第２、及び第３のボディ部上に配置され、
前記第１のヒンジ及び第２のヒンジは、前記第３の部分と前記第４の部分との間及び前記第５の部分と前記第６の部分との間に配置されることを特徴とする請求項９に記載のディスプレイ装置。
【請求項１７】
前記第１の部分と前記第３の部分との間、前記第１の部分と前記第５の部分との間、前記第２の部分と前記第４の部分との間、及び前記第２の部分と前記第６の部分との間に配置される複数の関節ユニットと、をさらに備え、
前記関節ユニットは、前記第１の部分及び前記第３の部分、前記第１の部分及び前記第５の部分、前記第２の部分及び前記第４の部分、並びに前記第２の部分及び前記第６の部分に回動可能に結合されることを特徴とする請求項１６に記載のディスプレイ装置。
【請求項１８】
前記支持板は、前記固定部、及び前記第１のサブヒンジ及び第２のサブヒンジに付着されることを特徴とする請求項９に記載のディスプレイ装置。
【請求項１９】
前記支持板は、金属を含み、
前記シート部は、可撓性物質を含むことを特徴とする請求項１に記載のディスプレイ装置。
【発明の詳細な説明】
【技術分野】
【０００１】
本発明は、ディスプレイ装置に関し、特に、折り畳み（ｆｏｌｄｉｎｇ）領域の変形を防止できるディスプレイ装置に関する。
【背景技術】
【０００２】
ユーザーにイメージ（静止画像、動画像）を提供するスマートフォン、デジタルカメラ、ノートパソコン、ナビゲーション、及びスマートテレビなどの電子機器は、イメージを表示するためのディスプレイ装置を含む。
ディスプレイ装置は、イメージを生成し、ディスプレイ画面を介してユーザーにイメージを提供する。
【０００３】
近年、ディスプレイ装置の技術開発とともに多様な形態のディスプレイ装置が開発されている。
例えば、曲面形状に変形されたり、折り畳み（ｆｏｌｄｉｎｇ）されたり、ロール（ｒｏｌｌ）されたりできる多様なフレキシブルディスプレイ装置が開発されている。
形状が多様に変形できるフレキシブルディスプレイ装置は、携帯が容易でユーザーの利便性を向上させる。
【０００４】
フレキシブルディスプレイ装置の中で折り畳み（ｆｏｌｄｉｎｇ）ディスプレイ装置は、一方向に延長する折り畳み軸を基準に折り畳まれるディスプレイモジュールを含む。
ディスプレイモジュールは、折り畳み軸を中心に折り畳まれるか、又は広げ（ｕｎｆｏｌｄｉｎｇ）られる（展開される）。
この時、折り畳み軸を中心に折り畳まれる折り畳み領域の変形が問題となっている。
【先行技術文献】
【特許文献】
【０００５】
【特許文献１】米国特許第１００１５８９７号明細書
【特許文献２】米国特許第１０３４７８５２号明細書
【特許文献３】米国特許出願公開第２０１８／０１４５２６９号明細書
【特許文献４】韓国公開特許第１０−２０１５−００９９６７６号公報
【特許文献５】韓国公開特許第１０−２０１８−００５６４４４号公報
【発明の概要】
【発明が解決しようとする課題】
【０００６】
そこで、本発明は上記従来の折り畳みディスプレイ装置における問題点に鑑みてなされたものであって、本発明の目的は、折り畳み領域の変形を防止できるディスプレイ装置を提供することにある。
【課題を解決するための手段】
【０００７】
上記目的を達成するためになされた本発明によるディスプレイ装置は、第１の非折り畳み（ｎｏｎ−ｆｏｌｄｉｎｇ）領域と、第２の非折り畳み領域と、前記第１の非折り畳み領域と第２の非折り畳み領域との間に配置される折り畳み（ｆｏｌｄｉｎｇ）領域と、を含むディスプレイモジュールと、前記第１の非折り畳み領域の下に配置される第１の支持部と、前記第２の非折り畳み領域の下に配置される第２の支持部と、前記折り畳み領域の下に配置されるヒンジ部と、前記折り畳み領域と前記ヒンジ部との間に配置されるシート部と、前記シート部と前記ヒンジ部との間に配置され、平面上から見たとき、前記ヒンジ部の一部と重畳する、複数の開口部が定義された支持板と、を備えることを特徴とする。
【０００８】
また、上記目的を達成するためになされた本発明によるディスプレイ装置は、第１の非折り畳み領域、第２の非折り畳み領域、及び前記第１と第２の非折り畳み領域との間に配置された折り畳み領域と、前記第１の非折り畳み領域、第２の非折り畳み領域及び前記折り畳み領域は第１の方向に配列されたディスプレイモジュールと、前記第１の非折り畳み領域の下に配置された第１の支持部と、第２の非折り畳み領域の下に配置された第２の支持部と、前記折り畳み領域の下に配置され、前記第１の方向と交差する第２の方向に延長されて前記第１の方向に離隔された第１の回転軸及び第２の回転軸を定義するヒンジ部と、前記折り畳み領域と前記ヒンジ部との間に配置され、前記第１の回転軸及び前記第２の回転軸に重畳する複数の開口部が定義された支持板と、を備える。
【発明の効果】
【０００９】
本発明に係るディスプレイ装置によれば、折り畳み領域の下に関節ユニットが配置されずに、ディスプレイモジュールをより容易にサポートすることができる支持板とシート部が、折り畳み領域の下に配置されることにより、折り畳み領域の変形が防止できるという効果がある。
【図面の簡単な説明】
【００１０】
【図１】本発明の実施形態によるディスプレイ装置の概略を示す斜視図である。
【図２】図１に示したディスプレイ装置の折り畳み状態を示す斜視図である。
【図３】図１に示したディスプレイ装置のディスプレイモジュールと支持部の分解斜視図である。
【図４】図３に示したディスプレイモジュールの断面を概略的に示す断面図である。
【図５】図４に示したディスプレイモジュールの概略構成を示す平面図である。
【図６】図５に示したいずれか１つのピクセルの等価回路を例として示す回路図である。
【図７】図４に示したピクセルの発光素子に対応する部分の構成を示す断面図である。
【図８】図３に示した支持部及びヒンジ部の分解斜視図である。
【図９】図８に示したＩ−Ｉ’線に沿って切断した断面図である。
【図１０】図８に示したＩＩ−ＩＩ’線に沿って切断した断面図である。
【図１１】図８に示したＩＩＩ−ＩＩＩ’線に沿って切断した断面図である。
【図１２】図８に示したヒンジ部、支持板、及びシート部を互いに分離して示す分解斜視図である。
【図１３】図１２に示した領域（ＡＡ）の拡大図である。
【図１４】図１２に示したヒンジ部の分解斜視図である。
【図１５】本発明の実施形態によるディスプレイ装置の第２の方向から見た側面図である。
【図１６】図１５に示したディスプレイ装置の折り畳まれた状態を示す側面図である。
【図１７】図８に示したＩＶ−ＩＶ’線に沿って切断した断面図である。
【図１８】図１２に示したＶ−Ｖ’線に沿って切断した断面図である。
【図１９】図１７に示したディスプレイ装置の折り畳まれた状態を示す概略断面図である。
【図２０】折り畳まれたヒンジ部の斜視図である。
【発明を実施するための形態】
【００１１】
次に、本発明に係るディスプレイ装置を実施するための形態の具体例を図面を参照しながら説明する。
【００１２】
本明細書において、あるコンポーネント（又は領域、層、部分など）が、他のコンポーネントの「上にある」、「接続される」、又は「結合される」と述べられている場合には、他のコンポーネント上に直接配置／接続／結合され得るか、又はそれらの間に第３のコンポーネントが配置される可能性もあることを意味する。
同一の図面符号は、同一のコンポーネントを指す。
また、図面において、コンポーネントの厚さ、比率及び寸法は、技術的な内容の効果的な説明のために誇張されたものである。
「及び／又は」は、関連付けられる構成が定義できる１つ以上の組み合わせをすべて含む。
【００１３】
第１の、第２のなどの用語は、多様なコンポーネントを説明するために使用され得るが、コンポーネントは、用語によって限定されてはならない。
用語は、あるコンポーネントを他のコンポーネントから区別するためにのみ使用される。
例えば、本発明の権利範囲を逸脱しないながらも、第１のコンポーネントは、第２のコンポーネントとして命名され、同様に第２のコンポーネントも第１のコンポーネントとして命名され得る。
単数の表現は、文脈上明らかに別の意味を示していると判定されない限り、複数の表現を含む。
また、「の下に」、「より下に」、「より上に」、「上部に」などの用語は、図面に示したコンポーネントの関連性を説明するために使用される。
用語は、相対的な概念で、図面に表示されている方向を基準にして説明される。
【００１４】
別の意味を示していると定義されない限り、本明細書で使用されるすべての用語（技術用語及び科学用語を含む）は、本発明が属する技術分野の当業者によって一般的に理解されるものと同じ意味を有する。
また、一般的に使用される辞典で定義された用語のような用語は、関連技術の文脈での意味と一致する意味を有するものと解釈されるべきであり、理想的な又は過度に形式的な意味に解釈されない限り、明示的にここで定義される。
「含む」又は「有する」などの用語は、明細書上に記載された特徴、数字、段階、動作、コンポーネント、部品又はこれらを組み合わせたものが存在することを指定しようとするものであり、一つ又はそれ以上の他の特徴、数字、段階、動作、コンポーネント、部分品、又はこれらを組み合わせたものの存在若しくは付加可能性を予め排除しないものと理解されるべきである。
【００１５】
図１は、本発明の実施形態によるディスプレイ装置の概略を示す斜視図であり、図２は、図１に示したディスプレイ装置の折り畳み状態を示す斜視図である。
図１及び図２を参照すると、本発明の実施形態によるディスプレイ装置（ＤＤ）は、第１の方向（Ｄ１）に長辺を有し、第１の方向（Ｄ１）と交差する第２の方向（Ｄ２）に短辺を有する長方形の形状を有する。
しかし、これに限定されず、ディスプレイ装置（ＤＤ）は、多様な形状を有し得る。
【００１６】
ディスプレイ装置（ＤＤ）は、フレキシブルディスプレイ装置であり、第２の方向（Ｄ２）に延長された折り畳み軸（ＦＸ）を基準に折り畳まれたり、展開されたり（広げられたり）する折り畳みタイプ（ｆｏｌｄａｂｌｅ）のディスプレイ装置であり得る。
折り畳み軸（ＦＸ）は、ディスプレイ装置（ＤＤ）に２軸の回転軸を提供するために、第２の方向（Ｄ２）に延長されて互いに隣接するよう配置された第１の回転軸（ＲＸ１）及び第２の回転軸（ＲＸ２）を含む。
【００１７】
ディスプレイ装置（ＤＤ）は、ディスプレイモジュール（ＤＭ）及びディスプレイモジュール（ＤＭ）の下部に配置された支持部（ＳＰ）を含む。
ディスプレイモジュール（ＤＭ）は、可撓性ディスプレイモジュールである。
ディスプレイモジュール（ＤＭ）の上面は、表示面（ＤＳ）として定義され、第１の方向（Ｄ１）及び第２の方向（Ｄ２）によって定義された平面を有する。
表示面（ＤＳ）を使用してディスプレイモジュール（ＤＭ）から生成されたイメージ（ＩＭ）がユーザーに提供される。
表示面（ＤＳ）は、イメージを表示する表示領域（ＤＡ）及び表示領域（ＤＡ）周辺の非表示領域（ＮＤＡ）を含む。
非表示領域（ＮＤＡ）は、表示領域（ＤＡ）を取り囲み、所定の色で印刷されるディスプレイ装置（ＤＤ）のエッジの部分を提供する。
【００１８】
ディスプレイモジュール（ＤＭ）は、折り畳み領域（ＦＡ）と複数の非折り畳み（ｎｏｎ−ｆｏｌｄｉｎｇ）領域（ＮＦＡ１、ＮＦＡ２）を含む。
非折り畳み領域（ＮＦＡ１、ＮＦＡ２）は、第１の非折り畳み領域（ＮＦＡ１）及び第２の非折り畳み領域（ＮＦＡ２）を含み得る。
折り畳み領域（ＦＡ）は、第１の非折り畳み領域（ＮＦＡ１）と第２の非折り畳み領域（ＮＦＡ２）との間に配置される。
折り畳み領域（ＦＡ）、並びに第１の非折り畳み領域（ＮＦＡ１）及び第２の非折り畳み領域（ＮＦＡ２）は、第１の方向（Ｄ１）に配列される。
折り畳み領域（ＦＡ）は、第１の回転軸（ＲＸ１）と第２の回転軸（ＲＸ２）とに重畳し得る。
【００１９】
例として、１つの折り畳み領域（ＦＡ）、並びに第１の非折り畳み領域（ＮＦＡ１）及び第２の非折り畳み領域（ＮＦＡ２）を図に示したが、折り畳み領域（ＦＡ）と非折り畳み領域（ＮＦＡ１、ＮＦＡ２）の数は、これに限定されない。
例えば、ディスプレイモジュール（ＤＭ）は、２つ以上の複数の非折り畳み領域、及び非折り畳み領域の間に配置された複数の折り畳み領域を含み得る。
【００２０】
支持部（ＳＰ）は、ディスプレイモジュール（ＤＭ）をサポートし、第１の回転軸（ＲＸ１）及び第２の回転軸（ＲＸ２）を基準に回動して折り畳まれる。
支持部（ＳＰ）が折り畳まれることにより、ディスプレイモジュール（ＤＭ）が支持部（ＳＰ）によって折り畳まれる。
折り畳み領域（ＦＡ）が湾曲してディスプレイモジュール（ＤＭ）が折り畳まれる。
支持部（ＳＰ）は、ディスプレイ装置（ＤＤ）が折り畳まれるとき、ディスプレイモジュール（ＤＭ）の表示面（ＤＳ）が外部に露出するようディスプレイ装置（ＤＤ）を外向きに折り畳む（ｏｕｔ−ｆｏｌｄｉｎｇ）ことができる。
支持部（ＳＰ）のより具体的な構成は、以下で、詳細に説明する。
【００２１】
図３は、図１に示したディスプレイ装置のディスプレイモジュールと支持部の分解斜視図である。
図３を参照すると、支持部（ＳＰ）は、第１の支持部（ＳＰ１）、第２の支持部（ＳＰ２）、ヒンジ部（ＨＧ）、シート部（ＳＨ）、及び複数のカバー部（ＣＶ）を含む。
図３には示していないが、シート部（ＳＨ）の下に支持板を配置することもでき、支持板の構成は、以下で詳細に説明する。
【００２２】
第１の支持部（ＳＰ１）は、第１の非折り畳み領域（ＮＦＡ１）の下に配置される。
第２の支持部（ＳＰ２）は、第２の非折り畳み領域（ＮＦＡ２）の下に配置される。
ヒンジ部（ＨＧ）とシート部（ＳＨ）は、折り畳み領域（ＦＡ）の下に配置される。
図３には示していないが、ヒンジ部（ＨＧ）は、第２の方向（Ｄ２）に延長してシート部（ＳＨ）の下にも配置され得る。
つまり、ヒンジ部（ＨＧ）は、第２の方向（Ｄ２）に延長して折り畳み領域（ＦＡ）に重畳するヒンジ部（ＨＧ）上にシート部（ＳＨ）が配置される。
このような構成は、以下で詳細に説明する。
【００２３】
ヒンジ部（ＨＧ）とシート部（ＳＨ）は、第１の支持部（ＳＰ１）と第２の支持部（ＳＰ２）との間に配置される。
シート部（ＳＨ）は、ヒンジ部（ＨＧ）と折り畳み領域（ＦＡ）との間に配置される。
ヒンジ部（ＨＧ）、並びに第１の支持部（ＳＰ１）及び第２の支持部（ＳＰ２）は、第１の方向（Ｄ１）に配列される。
カバー部（ＣＶ）は、第２の方向（Ｄ２）に互いに対向するヒンジ部（ＨＧ）の両側に配置される。
【００２４】
第１の支持部（ＳＰ１）及び第２の支持部（ＳＰ２）は、第１の方向（Ｄ１）に互いに対向するヒンジ部（ＨＧ）の両側に連結される。
第１の支持部（ＳＰ１）、第２の支持部（ＳＰ２）、及びヒンジ部（ＨＧ）には、溝部（ＧＰ）が定義される（「形成される」と同義で使用することあり。以下、同様）。
第１の支持部（ＳＰ１）及び第２の支持部（ＳＰ２）がヒンジ部（ＨＧ）に連結された状態では、溝部（ＧＰ）は、第１の支持部（ＳＰ１）、第２の支持部（ＳＰ２）、及びヒンジ部（ＨＧ）に連続して定義され得る。
溝部（ＧＰ）にディスプレイモジュール（ＤＭ）が配置される。
【００２５】
図４は、図３に示したディスプレイモジュールの断面を概略的に示す断面図である。
図４を参照すると、ディスプレイモジュール（ＤＭ）は、ディスプレイパネル（ＤＰ）と、ディスプレイパネル（ＤＰ）上に配置されたタッチ感知部（ＴＳＰ）と、タッチ感知部（ＴＳＰ）上に配置されたウィンドウ（ＷＩＮ）と、タッチ感知部（ＴＳＰ）とウィンドウ（ＷＩＮ）との間に配置された接着剤（ＯＣＡ）と、を備える。
【００２６】
本発明の一実施形態によるディスプレイパネル（ＤＰ）は、発光型ディスプレイパネルであり得るが、特に限定されない。
例えば、ディスプレイパネル（ＤＰ）は、有機発光ディスプレイパネル又は量子ドット発光ディスプレイパネルであり得る。
有機発光ディスプレイパネルの発光層は、有機発光物質を含む。
量子ドット発光ディスプレイパネルの発光層は、量子ドット及び量子ロッドなどを含む。
以下では、ディスプレイパネル（ＤＰ）は、有機発光ディスプレイパネルとして説明する。
【００２７】
ディスプレイパネル（ＤＰ）は、可撓性ディスプレイパネルである。
ディスプレイパネル（ＤＰ）は、基板（ＳＵＢ）、基板（ＳＵＢ）上に配置されたピクセル層（ＰＸＬ）、及びピクセル層（ＰＸＬ）をカバーするよう基板（ＳＵＢ）上に配置された薄膜封止層（ＴＦＥ）を含む。
基板（ＳＵＢ）は、透明な基板として可撓性プラスチック基板を含み得る。
例えば、基板（ＳＵＢ）は、ポリイミド（Ｐｏｌｙｉｍｉｄｅ：ＰＩ）を含み得る。
【００２８】
基板（ＳＵＢ）は、表示面（ＤＳ）のように表示領域（ＤＡ）及び表示領域（ＤＡ）周辺の非表示領域（ＮＤＡ）を含む。
ピクセル層（ＰＸＬ）は、表示領域（ＤＡ）上に配置される。
ピクセル層（ＰＸＬ）は、複数のピクセルを含み、ピクセルの各々は、発光素子を含む。
薄膜封止層（ＴＦＥ）は、少なくとも２つの無機層及び無機層の間に配置された有機層を含み得る。
無機層は、無機物質を含み、水分／酸素からピクセル層（ＰＸＬ）を保護することができる。
有機層は、有機物質を含み、ダスト粒子（ｄｕｓｔ  ｐａｒｔｉｃｌｅｓ）のような異物からピクセル層（ＰＸＬ）を保護することができる。
【００２９】
タッチ感知部（ＴＳＰ）は、薄膜封止層（ＴＦＥ）上に配置される。
タッチ感知部（ＴＳＰ）は、外部からの入力（ユーザーの手やタッチペンなど）を検出し、所定の入力信号に変更する。
タッチ感知部（ＴＳＰ）は、外部からの入力を検出するための複数の検出電極を含み得る。
検出電極は、静電容量方式で外部からの入力を検出することができる。
タッチ感知部（ＴＳＰ）は、ディスプレイモジュール（ＤＭ）の製造時に、薄膜封止層（ＴＦＥ）上に直接製造され得る。
しかし、これに限定されず、タッチ感知部（ＴＳＰ）は、ディスプレイパネル（ＤＰ）と分離されたタッチパネルとして製造され、接着剤によってディスプレイパネル（ＤＰ）に付着され得る。
【００３０】
ウィンドウ（ＷＩＮ）は、外部からのスクラッチ及び衝撃からディスプレイパネル（ＤＰ）とタッチ感知部（ＴＳＰ）を保護することができる。
ウィンドウ（ＷＩＮ）は、接着剤（ＯＣＡ）によってタッチ感知部（ＴＳＰ）に付着され得る。
接着剤（ＯＣＡ）は、光学透明接着剤（ｏｐｔｉｃａｌ  ｃｌｅａｒ  ａｄｈｅｓｉｖｅ）を含み得る。
ディスプレイパネル（ＤＰ）で生成されたイメージは、ウィンドウ（ＷＩＮ）を透過して、ユーザーに提供される。
【００３１】
図５は、図４に示したディスプレイモジュールの概略構成を示す平面図である。
図５を参照すると、ディスプレイモジュール（ＤＭ）は、ディスプレイパネル（ＤＰ）、走査駆動部（Ｓｃａｎ  Ｄｒｉｖｅｒ：ＳＤＶ）、データ駆動部（Ｄａｔａ  Ｄｒｉｖｅｒ：ＤＤＶ）、及び発光駆動部（Ｅｍｉｓｓｉｏｎ  Ｄｒｉｖｅｒ：ＥＤＶ）を含み得る。
図５には、例としてディスプレイパネル（ＤＰ）の平面構成が図示されており、タッチ感知部（ＴＳＰ）の平面構成は省略した。
【００３２】
ディスプレイパネル（ＤＰ）は、第１の方向（Ｄ１）に長辺を有し、第２の方向（Ｄ２）に短辺を有する長方形の形状を有し得る。
ディスプレイパネル（ＤＰ）は、表示面（ＤＳ）のように表示領域（ＤＡ）及び表示領域（ＤＡ）を取り囲む非表示領域（ＮＤＡ）を含む。
ディスプレイパネル（ＤＰ）は、複数のピクセル（ＰＸ）、複数の走査ライン（ＳＬ１〜ＳＬｍ）、複数のデータライン（ＤＬ１〜ＤＬｎ）、及び複数の発光ライン（ＥＬ１〜ＥＬｍ）を含む。
ｍとｎは自然数である。
ピクセル（ＰＸ）は、表示領域（ＤＡ）に配置され、走査ライン（ＳＬ１〜ＳＬｍ）、データライン（ＤＬ１〜ＤＬｎ）、及び発光ライン（ＥＬ１〜ＥＬｍ）に接続される。
【００３３】
走査駆動部（ＳＤＶ）、データ駆動部（ＤＤＶ）、及び発光駆動部（ＥＤＶ）は、非表示領域（ＮＤＡ）に配置される。
走査駆動部（ＳＤＶ）及びデータ駆動部（ＤＤＶ）は、ディスプレイパネル（ＤＰ）の長辺に隣接する非表示領域（ＮＤＡ）に各々配置される。
データ駆動部（ＤＤＶ）は、集積回路チップの形態で製作されてディスプレイパネル（ＤＰ）の短辺のうち、いずれか１つの短辺に隣接する非表示領域（ＮＤＡ）に配置される。
走査ライン（ＳＬ１〜ＳＬｍ）は、第２の方向（Ｄ２）に延長されて、走査駆動部（ＳＤＶ）に接続される。
データライン（ＤＬ１〜ＤＬｎ）は、第１の方向（Ｄ１）に延長されて、データ駆動部（ＤＤＶ）に接続される。
発光ライン（ＥＬ１〜ＥＬｍ）は、第２の方向（Ｄ２）に延長されて、発光駆動部（ＥＤＶ）に接続される。
【００３４】
走査駆動部（ＳＤＶ）は、複数の走査信号を生成し、走査信号は走査ライン（ＳＬ１〜ＳＬｍ）を介してピクセル（ＰＸ）に印加される。
走査信号は、順次にピクセル（ＰＸ）に印加される。
データ駆動部（ＤＤＶ）は、複数のデータ電圧を生成し、データ電圧は、データライン（ＤＬ１〜ＤＬｎ）を介してピクセル（ＰＸ）に印加される。
発光駆動部（ＥＤＶ）は、複数の発光信号を生成し、発光信号は発光ライン（ＥＬ１〜ＥＬｍ）を介してピクセル（ＰＸ）に印加される。
図に示していないが、ディスプレイモジュール（ＤＭ）は、走査駆動部（ＳＤＶ）、データ駆動部（ＤＤＶ）、及び発光駆動部（ＥＤＶ）の動作を制御するためのタイミングコントローラ（図示せず）を含み得る。
【００３５】
ピクセル（ＰＸ）は、走査信号に応答して、データ電圧の提供を受ける。
ピクセル（ＰＸ）は、発光信号に応答して、データ電圧に対応する輝度の光を発光することにより、イメージを表示することができる。
ピクセルの（ＰＸ）の発光時間は、発光信号によって制御され得る。
【００３６】
図６は、図５に示したいずれか１つのピクセルの等価回路を例として示した回路図である。
図６を参照すると、ピクセル（ＰＸ）は、発光素子（ＯＬＥＤ）及びピクセル回路（ＣＣ）を含む。
発光素子（ＯＬＥＤ）は、有機発光素子であり得る。
ピクセル回路（ＣＣ）は、複数のトランジスタ（Ｔ１〜Ｔ７）及びキャパシタ（ＣＰ）を含み得る。
ピクセル回路（ＣＣ）は、データ電圧に応じて発光素子（ＯＬＥＤ）に流れる電流量を制御することができる。
発光素子（ＯＬＥＤ）は、ピクセル回路（ＣＣ）から提供される電流量に対応した所定の輝度に発光することができる。
このためには、第１の電圧（ＥＬＶＤＤ）のレベルは、第２の電圧（ＥＬＶＳＳ）のレベルよりも高く設定され得る。
【００３７】
トランジスタ（Ｔ１〜Ｔ７）は、各々の入力電極（又は、ソース電極）、出力電極（又は、ドレイン電極）及び制御電極（又は、ゲート電極）を含む。
本明細書では便宜上、入力電極と出力電極のいずれか１つは、第１の電極と称し、他の１つは、第２の電極と称することとする。
第１のトランジスタ（Ｔ１）の第１の電極は、第５のトランジスタ（Ｔ５）を経由して第１の電圧（ＥＬＶＤＤ）を印加する電源ライン（ＰＬ）に接続され、第２の電極は、第６のトランジスタ（Ｔ６）を経由して発光素子（ＯＬＥＤ）のアノード電極に接続される。
第１のトランジスタ（Ｔ１）は、本明細書において駆動トランジスタと称され得る。
第１のトランジスタ（Ｔ１）は、第１のトランジスタ（Ｔ１）の制御電極に印加される電圧に応じて発光素子（ＯＬＥＤ）に流れる電流量を制御することができる。
【００３８】
第２のトランジスタ（Ｔ２）は、データライン（ＤＬ）と第１のトランジスタ（Ｔ１）の第１の電極との間に接続され、第２のトランジスタ（Ｔ２）の制御電極は、ｉ番目の走査ライン（ＳＬｉ）に接続される。
第２のトランジスタ（Ｔ２）は、ｉ番目の走査ライン（ＳＬｉ）からｉ番目の走査信号（Ｓｉ）の提供を受けてターンオンしてデータライン（ＤＬ）と第１のトランジスタ（Ｔ１）の第１の電極とを電気的に接続させる。
第３のトランジスタ（Ｔ３）は、第１のトランジスタ（Ｔ１）の第２の電極と制御電極との間に接続される。
第３のトランジスタ（Ｔ３）の制御電極は、ｉ番目の走査ライン（ＳＬｉ）に接続される。
第３のトランジスタ（Ｔ３）は、ｉ番目の走査ライン（ＳＬｉ）からｉ番目の走査信号（Ｓｉ）の提供を受けてターンオンして、第１のトランジスタ（Ｔ１）の第２の電極と制御電極とを電気的に接続させる。
第３のトランジスタ（Ｔ３）がターンオンされるとき、第１のトランジスタ（Ｔ１）は、ダイオード形態に接続され得る。
【００３９】
第４のトランジスタ（Ｔ４）は、ノード（ＮＤ）と初期化電源生成部（図示せず）との間に接続される。
第４のトランジスタ（Ｔ４）の制御電極は、（ｉ−１）番目の走査ライン（ＳＬｉ−１）に接続される。
第４のトランジスタ（Ｔ４）は、（ｉ−１）番目の走査ライン（ＳＬｉ−１）から（ｉ−１）番目の走査信号（Ｓｉ−１）の提供を受けてターンオンして、ノード（ＮＤ）に初期化電圧（Ｖｉｎｔ）を提供する。
第５のトランジスタ（Ｔ５）は、電源ライン（ＰＬ）と第１のトランジスタ（Ｔ１）の第１の電極との間に接続される。
第５のトランジスタ（Ｔ５）の制御電極は、ｉ番目の発光ライン（ＥＬｉ）に接続される。
第６のトランジスタ（Ｔ６）は、第１のトランジスタ（Ｔ１）の第２の電極と発光素子（ＯＬＥＤ）のアノード電極との間に接続される。
第６のトランジスタ（Ｔ６）の制御電極は、ｉ番目の発光ライン（ＥＬｉ）に接続される。
【００４０】
第７のトランジスタ（Ｔ７）は、初期化電源生成部（図示せず）と発光素子（ＯＬＥＤ）のアノード電極との間に接続される。
第７のトランジスタ（Ｔ７）の制御電極は、（ｉ＋１）番目の走査ライン（ＳＬｉ＋１）に接続される。
第７のトランジスタ（Ｔ７）は、（ｉ＋１）番目の走査ライン（ＳＬｉ＋１）から（ｉ＋１）番目の走査信号（Ｓｉ＋１）の提供を受けてターンオンして、初期化電圧（Ｖｉｎｔ）を発光素子（ＯＬＥＤ）のアノード電極に提供する。
第７のトランジスタ（Ｔ７）がターンオンされるとき、発光素子（ＯＬＥＤ）の寄生キャパシタ（図示せず）が放電される。
したがって、ピクセル（ＰＸ）の黒輝度（ｂｌａｃｋ  ｌｕｍｉｎａｎｃｅ）が具現される場合、発光素子（ＯＬＥＤ）は、第１のトランジスタ（Ｔ１）からの漏れ電流（ｌｅａｋａｇｅ  ｃｕｒｒｅｎｔ）により発光せず、その結果、ピクセル（ＰＸ）の黒表現能力を向上させることができる。
【００４１】
図６は、ＰＭＯＳを基準に示したが、本発明の実施形態は、これに限定されない。
例えば、ピクセル（ＰＸ）は、ＮＭＯＳ、又はＮＭＯＳとＰＭＯＳの組み合わせによって構成され得る。
キャパシタ（ＣＰ）は、電源ライン（ＰＬ）とノード（ＮＤ）との間に配置される。
キャパシタ（ＣＰ）は、データ電圧を貯蔵することができる。
キャパシタ（ＣＰ）に貯蔵された電圧に応じて、第５のトランジスタ（Ｔ５）及び第６のトランジスタ（Ｔ６）がターンオンされるとき、第１のトランジスタ（Ｔ１）に流れる電流量が決定される。
【００４２】
図７は、図４に示したピクセルの発光素子に対応する部分の構成を示す断面図である。
図７を参照すると、ピクセル（ＰＸ）は、発光素子（ＯＬＥＤ）及び発光素子（ＯＬＥＤ）に接続されたトランジスタ（ＴＲ）を含む。
発光素子（ＯＬＥＤ）は、第１の電極（Ｅ１）、第２の電極（Ｅ２）、及び第１の電極（Ｅ１）と第２の電極（Ｅ２）との間に配置された有機発光層（ＯＥＬ）を含む。
トランジスタ（ＴＲ）は、図５に示した第６のトランジスタ（Ｔ６）であり得る。
第１の電極（Ｅ１）は、アノード電極であり得、第２の電極（Ｅ２）は、カソード電極であり得る。
第１の電極（Ｅ１）は、ピクセル電極として定義され、第２の電極（Ｅ２）は、共通電極として定義され得る。
【００４３】
ピクセル（ＰＸ）は、ピクセル領域（ＰＡ）とピクセル領域（ＰＡ）周辺の非ピクセル領域（ＮＰＡ）に区分される。
発光素子（ＯＬＥＤ）は、ピクセル領域（ＰＡ）に配置され、トランジスタ（ＴＲ）は、非ピクセル領域（ＮＰＡ）に配置される。
トランジスタ（ＴＲ）と発光素子（ＯＬＥＤ）は、基板（ＳＵＢ）上に配置される。
基板（ＳＵＢ）上にバッファ層（ＢＦＬ）が配置され、バッファ層（ＢＦＬ）は、無機物質を含み得る。
【００４４】
バッファ層（ＢＦＬ）上にトランジスタ（ＴＲ）の半導体層（ＳＭ）が配置される。
半導体層（ＳＭ）は、アモルファス（Ａｍｏｒｐｈｏｕｓ）シリコン又は多結晶（Ｐｏｌｙｃｒｙｓｔａｌｌｉｎｅ）シリコンのような無機材料の半導体や有機半導体を含み得る。
また、半導体層（ＳＭ）は、酸化物半導体（ｏｘｉｄｅ  ｓｅｍｉｃｏｎｄｕｃｔｏｒ）を含み得る。
図７に示していないが、半導体層（ＳＭ）は、ソース領域、ドレイン領域、及びソース領域とドレイン領域との間のチャネル領域を含む。
【００４５】
半導体層（ＳＭ）をカバーするように、バッファ層（ＢＦＬ）上に第１の絶縁層（ＩＮＳ１）が配置される。
第１の絶縁層（ＩＮＳ１）は、無機物質を含み得る。
第１の絶縁層（ＩＮＳ１）上に半導体層（ＳＭ）に重畳するトランジスタ（ＴＲ）のゲート電極（ＧＥ）が配置される。
ゲート電極（ＧＥ）は、半導体層（ＳＭ）のチャネル領域と重畳するように配置される。
ゲート電極（ＧＥ）をカバーするように、第１の絶縁層（ＩＮＳ１）上に第２の絶縁層（ＩＮＳ２）が配置される。
第２の絶縁層（ＩＮＳ２）は、層間絶縁層として定義され得る。
第２の絶縁層（ＩＮＳ２）は、有機物質及び／又は無機物質を含み得る。
【００４６】
第２の絶縁層（ＩＮＳ２）上にトランジスタ（ＴＲ）のソース電極（ＳＥ）とドレイン電極（ＤＥ）とが互いに離隔して配置される。
ソース電極（ＳＥ）は、第１の絶縁層（ＩＮＳ１）及び第２の絶縁層（ＩＮＳ２）を貫通して定義された第１のコンタクトホール（ＣＨ１）を介して半導体層（ＳＭ）のソース領域に接続される。
ドレイン電極（ＤＥ）は、第１の絶縁層（ＩＮＳ１）及び第２の絶縁層（ＩＮＳ２）を貫通して定義された第２のコンタクトホール（ＣＨ２）を介して半導体層（ＳＭ）のドレイン領域に接続される。
トランジスタ（ＴＲ）のソース電極（ＳＥ）とドレイン電極（ＤＥ）をカバーするよう第２の絶縁層（ＩＮＳ２）上に第３の絶縁層（ＩＮＳ３）が配置される。
第３の絶縁層（ＩＮＳ３）は、平らな上面を提供する平坦化膜として定義することができ、有機物質を含み得る。
【００４７】
第３の絶縁層（ＩＮＳ３）上に第１の電極（Ｅ１）が配置される。
第１の電極（Ｅ１）は、第３の絶縁層（ＩＮＳ３）を貫通して定義された第３のコンタクトホール（ＣＨ３）を介してトランジスタ（ＴＲ）のドレイン電極（ＤＥ）に接続される。
第１の電極（Ｅ１）と第３の絶縁層（ＩＮＳ３）上に第１の電極（Ｅ１）の所定の部分を露出させるピクセル定義膜（ＰＤＬ）が配置される。
ピクセル定義膜（ＰＤＬ）には、第１の電極（Ｅ１）の所定の部分を露出させるための開口部（ＰＸ＿ＯＰ）が定義される。
【００４８】
開口部（ＰＸ＿ＯＰ）内で、第１の電極（Ｅ１）上に有機発光層（ＯＥＬ）が配置される。
有機発光層（ＯＥＬ）は、赤色、緑色、及び青色のいずれか１つの光を生成できる。
しかし、これに限定されず、有機発光層（ＯＥＬ）は、赤色、緑色、及び青色を生成する有機物質の組み合わせによって白色光を生成することもできる。
ピクセル定義膜（ＰＤＬ）と有機発光層（ＯＥＬ）上に第２の電極（Ｅ２）が配置される。
薄膜封止層（ＴＦＥ）はピクセル（ＰＸ）をカバーするよう発光素子（ＯＬＥＤ）の上に配置される。
基板（ＳＵＢ）と薄膜封止層（ＴＦＥ）との間の層は、ピクセル層（ＰＸＬ）として定義される。
【００４９】
第１の電圧（ＥＬＶＤＤ）が第１の電極（Ｅ１）に印加され、第２の電圧（ＥＬＶＳＳ）が第２の電極（Ｅ２）に印加される。
有機発光層（ＯＥＬ）に注入された正孔と電子が結合して励起子（ｅｘｃｉｔｏｎ）が形成され、励起子が基底状態に遷移しながら発光素子（ＯＬＥＤ）を発光させる。
発光素子（ＯＬＥＤ）は、電流の流れに応じて赤色、緑色、及び青色の光を発光することで、イメージを表示することができる。
【００５０】
図８は、図３に示した支持部及びヒンジ部の分解斜視図である。
例として、図８には、ヒンジ部（ＨＧ）、並びに第１の支持部（ＳＰ１）及び第２の支持部（ＳＰ２）の分解状態を図示した。
説明の便宜のために、図８のカバー部（ＣＶ）は省略した。
【００５１】
図８を参照すると、ヒンジ部（ＨＧ）は、第１の支持部（ＳＰ１）と第２の支持部（ＳＰ２）との間に配置され、第１の支持部（ＳＰ１）、第２の支持部（ＳＰ２）、及びヒンジ部（ＨＧ）には溝部（ＧＰ）が定義される。
ヒンジ部（ＨＧ）は、第１の方向（Ｄ１）よりも第２の方向（Ｄ２）に長く延長され得る。
第２の方向（Ｄ２）に互いに対向するヒンジ部（ＨＧ）の両側は、ヒンジ部（ＨＧ）の溝部（ＧＰ）よりも高く配置される。
【００５２】
ヒンジ部（ＨＧ）は、第１の方向（Ｄ１）に互いに対向するヒンジ部（ＨＧ）の両側にから第１の方向（Ｄ１）に延長された複数の連結部（ＣＮ）を含む。
連結部（ＣＮ）は、第１の支持部（ＳＰ１）及び第２の支持部（ＳＰ２）に向かって延長される。
連結部（ＣＮ）の各々には、連結ホール（ＣＮＨ）が定義される。
ヒンジ部（ＨＧ）の両側のうち、ヒンジ部（ＨＧ）の一側と向き合う第１の支持部（ＳＰ１）の一側には、第１の連結溝（ＣＧ１）が定義される。
ヒンジ部（ＨＧ）の両側のうち、ヒンジ部（ＨＧ）の他側と向き合う第２の支持部（ＳＰ２）の一側には、第２の連結溝（ＣＧ２）が定義される。
ヒンジ部（ＨＧ）の両側と連結部（ＣＮ）のすべては、第１の支持部（ＳＰ１）及び第２の支持部（ＳＰ２）に連結されるため、第１の連結溝（ＣＧ１）及び第２の連結溝（ＣＧ２）に挿入され得る。
実質的には、第１の支持部（ＳＰ１）の形状は、第２の支持部（ＳＰ２）と対称になり得る。
【００５３】
第１の支持部（ＳＰ１）は、第１のサブ支持部（ＳＰ１＿１）及び第１のサブ支持部（ＳＰ１＿１）の下に配置された第２のサブ支持部（ＳＰ１＿２）を含む。
第１の連結溝（ＣＧ１）は、第１のサブ支持部（ＳＰ１＿１）と第２のサブ支持部（ＳＰ１＿２）との間に定義される。
第２の支持部（ＳＰ２）は、第３のサブ支持部（ＳＰ２＿１）及び第３のサブ支持部（ＳＰ２＿１）の下に配置された第４のサブ支持部（ＳＰ２＿２）を含む。
第２の連結溝（ＣＧ２）は、第３のサブ支持部（ＳＰ２＿１）と第４のサブ支持部（ＳＰ２＿２）との間に定義される。
ヒンジ部（ＨＧ）の溝部（ＧＰ）には、支持板（ＳＴ）が配置され、支持板（ＳＴ）上にシート部（ＳＨ）が配置される。
支持板（ＳＴ）とシート部（ＳＨ）の構成は、以下で詳細に説明する。
【００５４】
図９は、図８に示したＩ−Ｉ’線に沿って切断した断面図であり、図１０は、図８に示したＩＩ−ＩＩ’線に沿って切断した断面図であり、図１１は、図８に示したＩＩＩ−ＩＩＩ’線に沿って切断した断面図である。
図９、図１０、及び図１１は、ヒンジ部（ＨＧ）と第２の支持部（ＳＰ２）の連結状態の断面を示す断面図である。
【００５５】
図９、図１０、及び図１２を参照すると、第２の支持部（ＳＰ２）に隣接するヒンジ部（ＨＧ）の他側（ＡＯＳ）、及びヒンジ部（ＨＧ）の他側（ＡＯＳ）から延長された連結部（ＣＮ）は、第２の連結溝（ＣＧ２）に配置される。
ヒンジ部（ＨＧ）の他側（ＡＯＳ）及び連結部（ＣＮ）が、第２の連結溝（ＣＧ２）に挿入され、ヒンジ部（ＨＧ）が第２の支持部（ＳＰ２）に連結される。
【００５６】
具体的には、第３のサブ支持部（ＳＰ２＿１）の下部には、連結ホール（ＣＮＨ）に重畳する陥凹部（ＲＥＳ）が定義される。
第２の連結溝（ＣＧ２）は、第３のサブ支持部（ＳＰ２＿１）の一側に隣接する第３のサブ支持部（ＳＰ２＿１）の下面に定義される。
第３のサブ支持部（ＳＰ２＿１）の一側は、ヒンジ部（ＨＧ）の他側（ＡＯＳ）に隣接する。
ヒンジ部（ＨＧ）の他側（ＡＯＳ）と連結部（ＣＮ）が第２の連結溝（ＣＧ２）に挿入され、複数の締結ユニット（ＣＵ）が連結ホール（ＣＮＨ）と陥凹部（ＲＥＳ）に挿入され、ヒンジ部（ＨＧ）が第３のサブ支持部（ＳＰ２＿１）に連結される。
以降、ヒンジ部（ＨＧ）の他側（ＡＯＳ）の下、連結部（ＣＮ）の下、及び第３のサブ支持部（ＳＰ２＿１）下に第４のサブ支持部（ＳＰ２＿２）が配置される。
【００５７】
第４のサブ支持部（ＳＰ２＿２）は、第３のサブ支持部（ＳＰ２＿１）に接続され、ヒンジ部（ＨＧ）の他側の下部、連結部（ＣＮ）の下部、及び締結ユニット（ＣＵ）の下部をカバーする。
第４のサブ支持（ＳＰ２＿２）は、ヒンジ部（ＨＧ）の他側（ＡＯＳ）に隣接するヒンジ部（ＨＧ）の所定の部分まで延長することができる。
ヒンジ部（ＨＧ）の他側（ＡＯＳ）に隣接するヒンジ部（ＨＧ）の部分の上面は、段差構造（例えば、階段形状）を有する。
段差構造の境界（ＢＡ）は、異なる高さの差を有するヒンジ部（ＨＧ）の上面の２つの部分の間の境界として定義される。
第３のサブ支持部（ＳＰ２＿１）の一側は、段差構造の境界（ＢＡ）に隣接する。
【００５８】
図に示していないが、ヒンジ部（ＨＧ）と第１の支持部（ＳＰ１）も、ヒンジ部（ＨＧ）と第２の支持部（ＳＰ２）の連結方式と同様に連結される。
また、ヒンジ部（ＨＧ）の一側、並びに第１のサブ支持部（ＳＰ１＿１）及び第２のサブ支持部（ＳＰ１＿２）の形状は、図９〜図１１に示したヒンジ部（ＨＧ）の他側、並びに第３のサブ支持部（ＳＰ２＿１）及び第４のサブ支持部（ＳＰ２＿２）の形状と対称になって実質的に同一である。
【００５９】
図１２は、図８に示したヒンジ部、支持板、及びシート部を互いに分離して示す分解斜視図であり、図１３は、図１２に示した領域（ＡＡ）の拡大図であり、図１４は、図１２に示したヒンジ部の分解斜視図である。
図１２を参照すると、ヒンジ部（ＨＧ）上に支持板（ＳＴ）とシート部（ＳＨ）が配置される。
支持板（ＳＴ）は、シート部（ＳＨ）とヒンジ部（ＨＧ）との間に配置される。
支持板（ＳＴ）とシート部（ＳＨ）は、ヒンジ部（ＨＧ）の溝部（ＧＰ）上に配置される。
【００６０】
支持板（ＳＴ）とシート部（ＳＨ）は、第１の方向（Ｄ１）に短辺を有し、第２の方向（Ｄ２）に長辺を有する長方形の形状を有し得る。
支持板（ＳＴ）は、金属物質を含み、シート部（ＳＨ）は、可撓性物質を含み得る。
シート部（ＳＨ）は、ゴム（ｒｕｂｂｅｒ）を含み得る。
支持板（ＳＴ）には、複数の開口部（ＯＰ）が定義される。
平面上から見たとき、開口部（ＯＰ）は、ヒンジ部（ＨＧ）の一部と重畳し得る。
【００６１】
図１３を参照すると、開口部（ＯＰ）は、支持板（ＳＴ）の一部が除去されて定義される。
開口部（ＯＰ）は、第２の方向（Ｄ２）に延長し得る。
開口部（ＯＰ）は、第１の方向（Ｄ１）及び第２の方向（Ｄ２）に配列され得る。
開口部（ＯＰ）は、第１の方向（Ｄ１）及び第２の方向（Ｄ２）に配列された複数の第１の開口部（ＯＰ１）、並びに第１の方向（Ｄ１）及び第２の方向（Ｄ２）に配列された複数の第２の開口部（ＯＰ２）を含み得る。
第２の開口部（ＯＰ２）は、第１の方向（Ｄ１）で第１の開口部（ＯＰ１）の間に配置され得る。
第２の開口部（ＯＰ２）と第１の開口部（ＯＰ１）は、互いにずれて配置される（ｄｉｓｐｏｓｅｄ  ｔｏ  ｍｉｓｓ  ｅａｃｈ  ｏｔｈｅｒ）。
【００６２】
図１２を参照すると、ヒンジ部（ＨＧ）は、固定部（ＦＰ）、第１のヒンジ（ＨＧ１）、第２のヒンジ（ＨＧ２）、第１のサブヒンジ（ＳＧ１）、第２のサブヒンジ（ＳＧ２）、及び複数の関節ユニット（ＪＵ）を含む。
固定部（ＦＰ）は、第２の方向（Ｄ２）に延長する。
第１のヒンジ（ＨＧ１）及び第２のヒンジ（ＨＧ２）は、第１の方向（Ｄ１）に互いに対向する固定部（ＦＰ）の両側に連結される。
関節ユニット（ＪＵ）をより明確に示すために、図１２で、カバー部（ＣＶ）は省略した。
図に示していないが、カバー部（ＣＶ）は、実質的に、第１のサブヒンジ（ＳＧ１）及び第２のサブヒンジ（ＳＧ２）に連結される。
【００６３】
第１のヒンジ（ＨＧ１）は、第１の方向（Ｄ１）に互いに対向する固定部（ＦＰ）の両側のうち、固定部（ＦＰ）の一側に回動可能に連結される。
固定部（ＦＰ）の一側は、実質的に、図８に示した第１の支持部（ＳＰ１）と向き合う。
第２のヒンジ（ＨＧ２）は、第１の方向（Ｄ１）に互いに対向する固定部（ＦＰ）の両側のうち、固定部（ＦＰ）の他側に回動可能に連結される。
固定部（ＦＰ）の他側は、実質的に、図８に示した第２の支持部（ＳＰ２）と向き合う。
【００６４】
第１のヒンジ（ＨＧ１）は、固定部（ＦＰ）の一側に定義されて第２の方向（Ｄ２）に延長する第１の回転軸（ＲＸ１）を中心に回動する。
第２のヒンジ（ＨＧ２）は、固定部（ＦＰ）の他側に定義されて第２の方向（Ｄ２）に延長する第２の回転軸（ＲＸ２）を中心に回動する。
このような構成は、以下の図１４を参照して、より詳細に説明する。
開口部（ＯＰ）は、第１の回転軸（ＲＸ１）及び第２の回転軸（ＲＸ２）と重畳し得る。
第１のヒンジ（ＨＧ１）は、固定部（ＦＰ）と第１のサブヒンジ（ＳＧ１）との間に配置され、第１のサブヒンジ（ＳＧ１）は、第１のヒンジ（ＨＧ１）に連結される。
第２のヒンジ（ＨＧ２）は、固定部（ＦＰ）と第２のサブヒンジ（ＳＧ２）との間に配置され、第２のサブヒンジ（ＳＧ２）は、第２のヒンジ（ＨＧ２）に連結される。
【００６５】
連結部（ＣＮ）は、第１のサブヒンジ（ＳＧ１）及び第２のサブヒンジ（ＳＧ２）の一側から延長され得る。
第１のサブヒンジ（ＳＧ１）及び第２のサブヒンジ（ＳＧ２）の一側は、第１の方向（Ｄ１）に互いに対向するヒンジ部（ＨＧ）の両側を定義する。
第１のサブヒンジ（ＳＧ１）は、第１のサブヒンジ（ＳＧ１）の一側から延長された連結部（ＣＮ）を介して第１の支持部（ＳＰ１）に連結される。
第２のサブヒンジ（ＳＧ２）は、第２のサブヒンジ（ＳＧ２）の一側から延長された連結部（ＣＮ）を介して第２の支持部（ＳＰ２）に連結される。
【００６６】
溝部（ＧＰ）は、固定部（ＦＰ）、並びに第１のサブヒンジ（ＳＧ１）及び第２のサブヒンジ（ＳＧ２）に定義される。
溝部（ＧＰ）を除いた固定部（ＦＰ）の部分と溝部（ＧＰ）を除いた第１のサブヒンジ（ＳＧ１）と第２のサブヒンジ（ＳＧ２）との間に、関節ユニット（ＪＵ）が配置される。
具体的には、固定部（ＦＰ）は、第２の方向（Ｄ２）に互いに対向する固定部（ＦＰ）の両側に隣接する固定部（ＦＰ）の部分として各々定義される第１の部分（ＰＴ１）及び第２の部分（ＰＴ２）、並びに第１の部分（ＰＴ１）と第２の部分（ＰＴ２）との間の第１のボディ部（Ｂ１）を含む。
第１のボディ部（Ｂ１）は、第２の方向（Ｄ２）に延長され得る。
【００６７】
第１のサブヒンジ（ＳＧ１）は、第２の方向（Ｄ２）に互いに対向する第１のサブヒンジ（ＳＧ１）の両側に隣接する第１のサブヒンジ（ＳＧ１）の部分として各々定義される第３の部分（ＰＴ３）及び第４の部分（ＰＴ４）、並びに第３の部分（ＰＴ３）と第４の部分（ＰＴ４）との間の第２のボディ部（Ｂ２）を含む。
第２のボディ部（Ｂ２）は、第２の方向（Ｄ２）に延長され得る。
第２のサブヒンジ（ＳＧ２）は、第２の方向（Ｄ２）に互いに対向する第２のサブヒンジ（ＳＧ２）の両側に隣接する第２のサブヒンジ（ＳＧ２）の部分として各々定義される第５の部分（ＰＴ５）及び第６の部分（ＰＴ６）、並びに第５の部分（ＰＴ５）と第６の部分（ＰＴ６）との間の第３のボディ部（Ｂ３）を含む。
第３のボディ部（Ｂ３）は、第２の方向（Ｄ２）に延長され得る。
【００６８】
第１の部分（ＰＴ１）は、第３の部分（ＰＴ３）と第５の部分（ＰＴ５）との間に配置される。
第２の部分（ＰＴ２）は、第４の部分（ＰＴ４）と第６の部分（ＰＴ６）との間に配置される。
関節ユニット（ＪＵ）は、第１の部分（ＰＴ１）と第３の部分（ＰＴ３）との間、第１の部分（ＰＴ１）と第５の部分（ＰＴ５）との間、第２の部分（ＰＴ２）と第４の部分（ＰＴ４）との間、及び第２の部分（ＰＴ２）と第６の部分（ＰＴ６）との間に配置される。
固定部（ＦＰ）、並びに第１のサブヒンジ（ＳＧ１）及び第２のサブヒンジ（ＳＧ２）は、関節ユニット（ＪＵ）によって互いに回動可能に結合される。
関節ユニット（ＪＵ）は、第１の部分（ＰＴ１）及び第３の部分（ＰＴ３）、第１の部分（ＰＴ１）及び第５の部分（ＰＴ５）、第２の部分（ＰＴ２）及び第４の部分（ＰＴ４）、並びに第２の部分（ＰＴ２）及び第６の部分（ＰＴ６）に回動可能に結合される。
【００６９】
第１、第２、及び第３のボディ部（Ｂ１、Ｂ２、Ｂ３）は、第１〜第６の部分（ＰＴ１〜ＰＴ６）より低く配置される。
したがって、ヒンジ部（ＨＧ）の溝部（ＧＰ）は、第１の部分（ＰＴ１）と第２の部分（ＰＴ２）のとの間、第３の部分（ＰＴ３）と第４の部分（ＰＴ４）との間、及び第５の部分（ＰＴ５）と第６の部分（ＰＴ６）との間に定義される。
支持板（ＳＴ）とシート部（ＳＨ）は、第１、第２、及び第３のボディ部（Ｂ１、Ｂ２、Ｂ３）上に配置される。
折り畳み領域（ＦＡ）も、また第１、第２、及び第３のボディ部（Ｂ１、Ｂ２、Ｂ３）上に配置される。
第１のヒンジ（ＨＧ１）及び第２のヒンジ（ＨＧ２）は、第３の部分（ＰＴ３）と第４の部分（ＰＴ４）との間、及び第５の部分（ＰＴ５）と第６の部分（ＰＴ６）との間に配置される。
【００７０】
図１２及び図１４を参照すると、ヒンジ部（ＨＧ）は、複数の第１の連結部（ＣＮ１）、複数の第２の連結部（ＣＮ２）、及び複数の第３の連結部（ＣＮ３）を含む。
第１の連結部（ＣＮ１）は、第１の方向（Ｄ１）に互いに対向する固定部（ＦＰ）の両側に配置されて第２の方向（Ｄ２）に延長される。
第１の連結部（ＣＮ１）が配置された部分は、実質的に、固定部（ＦＰ）の第１のボディ部（Ｂ１）であり得る。
【００７１】
第２の連結部（ＣＮ２）は、固定部（ＦＰ）の両側のうち、一側と向き合う第１のヒンジ（ＨＧ１）の一側に配置されて第２の方向（Ｄ２）に延長される。
第３の連結部（ＣＮ３）は、固定部（ＦＰ）の両側のうち、他側と向き合う第２のヒンジ（ＨＧ２）の一側に配置されて第２の方向（Ｄ２）に延長される。
第１、第２、及び第３の連結部（ＣＮ１、ＣＮ２、ＣＮ３）は、第２の方向（Ｄ２）に延長する円筒形状を有し得る。
第１、第２、及び第３の連結部（ＣＮ１、ＣＮ２、ＣＮ３）には、第２の方向（Ｄ２）に延長する第１のホール（Ｈ１）が定義される。
第１のホール（Ｈ１）は、第２の方向（Ｄ２）に延長する円筒形状を有し得る。
【００７２】
第２の連結部（ＣＮ２）は、固定部（ＦＰ）の一側に配置された第１の連結部（ＣＮ１）の間に配置される。第３の連結部（ＣＮ３）は、固定部（ＦＰ）の他側に配置された第１の連結部（ＣＮ１）の間に配置される。
第２の連結部（ＣＮ２）は、第１の連結部（ＣＮ１）と回動可能に結合され、第３の連結部（ＣＮ３）は、第１の連結部（ＣＮ１）と回動可能に結合される。
例えば、第２の連結部（ＣＮ２）及び第３の連結部（ＣＮ３）が第１の連結部（ＣＮ１）の間に配置され、第１のホール（Ｈ１）にピンユニット（ｐｉｎ  ｕｎｉｔｓ）（図示せず）が挿入されることにより、第２の連結部（ＣＮ２）及び第３の連結部（ＣＮ３）が第１の連結部（ＣＮ１）に回動可能に結合され得る。
【００７３】
第１の回転軸（ＲＸ１）及び第２の回転軸（ＲＸ２）は、第１の連結部（ＣＮ１）が配置された部分に定義される。
第２の方向（Ｄ２）から眺めたとき、固定部（ＦＰ）の一側に配置された第１の連結部（ＣＮ１）の中心部が第１の回転軸（ＲＸ１）として定義され、固定部（ＦＰ）の他側に配置された第１の連結部（ＣＮ１）の中心部が第２の回転軸（ＲＸ２）として定義される。
したがって、第１のヒンジ（ＨＧ１）及び第２のヒンジ（ＨＧ２）が第１の回転軸（ＲＸ１）及び第２の回転軸（ＲＸ２）を中心に、各々回動することができる。
【００７４】
第１のヒンジ（ＨＧ１）は、第２の方向（Ｄ２）に延長する第１の延長部（ＥＸ１）、及び第１の延長部（ＥＸ１）から第１の方向（Ｄ１）に延長する複数の第２の延長部（ＥＸ２）を含む。
第２の延長部（ＥＸ２）は、固定部（ＦＰ）と向き合う第１の延長部（ＥＸ１）の一側の反対側である第１の延長部（ＥＸ１）の他側から延長され得る。
第２のヒンジ（ＨＧ２）は、第２の方向（Ｄ２）に延長する第３の延長部（ＥＸ３）、及び第３の延長部（ＥＸ３）から第１の方向（Ｄ１）に延長する複数の第４の延長部（ＥＸ４）を含む。
第４の延長部（ＥＸ４）は、固定部（ＦＰ）と向き合う第３の延長部（ＥＸ３）の一側の反対側である第３の延長部（ＥＸ３）の他側から延長され得る。
【００７５】
第１の延長部（ＥＸ１）及び第２の延長部（ＥＸ２）は、第１のサブヒンジ（ＳＧ１）の上面に定義された第１の溝（Ｇ１）に配置される。
実質的には、第１の溝（Ｇ１）は、第２のボディ部（Ｂ２）の上面に定義される。
第１の溝（Ｇ１）は、第１の延長部（ＥＸ１）及び第２の延長部（ＥＸ２）に対応する形状を有する。
第３の延長部（ＥＸ３）及び第４の延長部（ＥＸ４）は、第２のサブヒンジ（ＳＧ２）の上面に定義された第２の溝（Ｇ２）に配置される。
実質的には、第２の溝（Ｇ２）は、第３のボディ部（Ｂ３）の上面に定義される。
第２のホーム（Ｇ２）は、第３の延長部（ＥＸ３）及び第４の延長部（ＥＸ４）に対応する形状を有する。
【００７６】
ヒンジ部（ＨＧ）は、第１のヒンジ（ＨＧ１）の下部に連結された複数の第１のスライディングユニット（ＳＵ１）、及び第２のヒンジ（ＨＧ２）の下部に連結された複数の第２のスライディングユニット（ＳＵ２）を含む。
第１のスライディングユニット（ＳＵ１）は、点線で図示した。
第１のスライディングユニット（ＳＵ１）は、第２の延長部（ＥＸ２）の下部に連結され、第２のスライディングユニット（ＳＵ２）は、第４の延長部（ＥＸ４）の下部に連結される。
【００７７】
第１のスライディングユニット（ＳＵ１）は、第１のサブヒンジ（ＳＧ１）で定義されて、第１の方向（Ｄ１）に延長する複数の第１の移動ホール（ＭＨ１）に配置される。
第１の移動ホール（ＭＨ１）は、実質的には、第１の溝（Ｇ１）が定義された第１のサブヒンジ（ＳＧ１）の部分で定義される。
第２のスライディングユニット（ＳＵ２）は、第２のサブヒンジ（ＳＧ２）で定義されて、第１の方向（Ｄ１）に延長する複数の第２の移動ホール（ＭＨ２）に配置される。
第２の移動ホール（ＭＨ２）は、実質的には、第２のホーム（Ｇ２）が定義された第２のサブヒンジ（ＳＧ２）の部分で定義される。
【００７８】
第１の部分（ＰＴ１）と第３の部分（ＰＴ３）との間、第１の部分（ＰＴ１）と第５の部分（ＰＴ５）との間、第２の部分（ＰＴ２）と第４の部分（ＰＴ４）との間、及び第２の部分（ＰＴ２）と第６の部分（ＰＴ６）との間に、各々２つの関節ユニット（ＪＵ）が配置されるが、関節ユニット（ＪＵ）の数は、これに限定されない。
第１の部分（ＰＴ１）と第３の部分（ＰＴ３）との間に配置された関節ユニット（ＪＵ）は、第１の部分（ＰＴ１）と第５の部分（ＰＴ５）との間に配置された関節ユニット（ＪＵ）と互いに対称をなして、実質的に同じ形状を有する。
また、第２の部分（ＰＴ２）と第４の部分（ＰＴ４）との間に配置された関節ユニット（ＪＵ）は、第２の部分（ＰＴ２）と第６の部分（ＰＴ６）との間に配置された関節ユニット（ＪＵ）と互いに対称をなして、実質的に同じ形状を有する。
【００７９】
第１の部分（ＰＴ１）と第３の部分（ＰＴ３）との間に配置された関節ユニット（ＪＵ）は、第２の部分（ＰＴ２）と第４の部分（ＰＴ４）との間に配置された関節ユニット（ＪＵ）と同じ形状を有する。
また、第１の部分（ＰＴ１）と第５の部分（ＰＴ５）との間に配置された関節ユニット（ＪＵ）は、第２の部分（ＰＴ２）と第６の部分（ＰＴ６）との間に配置された関節ユニット（ＪＵ）と同じ形状を有する。
したがって、以下では、例として、第１の部分（ＰＴ１）と第５の部分（ＰＴ５）との間に配置された関節ユニット（ＪＵ）の構成を説明することにし、他の関節ユニット（ＪＵ）の説明は省略する。
【００８０】
関節ユニット（ＪＵ）の各々は、第２の方向（Ｄ２）に離隔された複数の第１の突出部（Ｐ１）、及び第２の方向（Ｄ２）から眺めたとき、第１の突出部の（Ｐ１）の右側に連結された第２の突出部（Ｐ２）を含む。
第１の方向（Ｄ１）から眺めたとき、第２の突出部（Ｐ２）は、第１の突出部の（Ｐ１）の間に配置される。
第１の突出部（Ｐ１）及び第２の突出部（Ｐ２）は、第２の方向（Ｄ２）に延長する円筒形の形状を有する。
例として、２つの第１の突出部（Ｐ１）と１つの第２の突出部（Ｐ２）を図に示したが、第１の突出部（Ｐ１）及び第２の突出部（Ｐ２）の数は、これに限定されない。
例えば、関節ユニット（ＪＵ）の各々は、２つより多くの第１の突出部（Ｐ１）、及び第１の突出部の（Ｐ１）の間に配置されるための１つより多くの第２の突出部（Ｐ２）を含み得る。
【００８１】
関節ユニット（ＪＵ）の各々は、第１の突出部（Ｐ１）の各々の下端の右側から下方に突出した（図１４参照）第１のサブ突出部（Ｐ１１）、及び第２の突出部（Ｐ２）の下端の右側から下方に突出した第２のサブ突出部（Ｐ２２）を含む。
第２の方向（Ｄ２）から眺めたとき、第１のサブ突出部（Ｐ１１）及び第２のサブ突出部（Ｐ２２）の各々は、逆台形の形状を有し得る。
Ｈ番目の関節ユニット（ＪＵ）の第２の突出部（Ｐ２）及び第２のサブ突出部（Ｐ２２）は、（Ｈ＋１）番目の関節ユニット（ＪＵ）の第１の突出部（Ｐ１）の間、及び第１のサブ突出部（Ｐ１１）の間に配置され得る。
【００８２】
第１の方向（Ｄ１）に互いに対向する第１の部分（ＰＴ１）の両側及び第１の方向（Ｄ１）に互いに対向する第２の部分（ＰＴ２）の両側には、第３の突出部（Ｐ３）が各々配置される。
第３の突出部（Ｐ３）は、第２の方向（Ｄ２）に延長する円筒形状を有し得る。
第３の突出部（Ｐ３）の各々は、隣接する関節ユニット（ＪＵ）の第１の突出部（Ｐ１）の間に配置される。
第１の部分（ＰＴ１）と向き合う第３の部分（ＰＴ３）の一側、第１の部分（ＰＴ１）と向き合う第５の部分（ＰＴ５）の一側、第２の部分（ＰＴ２）と向き合う第４の部分（ＰＴ４）の一側、及び第２の部分（ＰＴ２）と向き合う第６の部分（ＰＴ６）の一側には、複数の第４の突出部（Ｐ４）が配置される。
第４の突出部の（Ｐ４）は、第３の部分（ＰＴ３）の一側、第５の部分（ＰＴ５）の一側、第４の部分（ＰＴ４）の一側、及び第６の部分（ＰＴ６）の一側から突出する。
【００８３】
第３〜第６の部分（ＰＴ３〜ＰＴ６）の各々に隣接する関節ユニット（ＪＵ）の第２の突出部（Ｐ２）は、第３〜第６の部分（ＰＴ３〜ＰＴ６）の各々の第４の突出部（Ｐ４）の間に配置される。
第１、第２、第３、及び第４の突出部（Ｐ１、Ｐ２、Ｐ３、Ｐ４）には、第２の方向（Ｄ２）に延長する第２のホール（Ｈ２）が定義されて、第２のホール（Ｈ２）は、第２の方向（Ｄ２）に延長する円筒形状を有し得る。
【００８４】
関節ユニット（ＪＵ）は、互いに回動可能に結合され、また、関節ユニット（ＪＵ）は、第１の〜第６の部分（ＰＴ１〜ＰＴ６）で回動可能に結合される。
例えば、関節ユニット（ＪＵ）が、前述したように、第１〜第６の部分（ＰＴ１〜ＰＴ６）に配置され、第２のホール（Ｈ２）にピンユニット（図示せず）が挿入されることにより、関節ユニット（ＪＵ）、及び第１〜第６の部分（ＰＴ１〜ＰＴ６）が互いに回動可能に結合される。
ヒンジ部（ＨＧ）が平坦な状態のとき、図１２に示すように、第１の延長部（ＥＸ１）及び第２の延長部（ＥＸ２）は、第１の溝（Ｇ１）の境界と離隔し、第３の延長部（ＥＸ３）及び第４の延長部（ＥＸ４）は、第２の溝（Ｇ２）の境界と離隔する。
【００８５】
図１５は、本発明の実施形態によるディスプレイ装置の第２の方向から見た側面図であり、図１６は、図１５に示したディスプレイ装置が折り畳まれた状態を示す側面図である。
説明の便宜のために、図１５及び図１６には、第１の支持部（ＳＰ１）の一部及び第２の支持部（ＳＰ２）の一部は、省略した。
【００８６】
図１５を参照すると、ディスプレイ装置（ＤＤ）は、平坦な（展開された）状態であり、第４の連結部（ＣＮ４）は、第１のヒンジ（ＨＧ１）及び第２のヒンジ（ＨＧ２）に連結される。
第１のヒンジ（ＨＧ１）及び第２のヒンジ（ＨＧ２）は、固定部（ＦＰ）に連結され、相互に連結された関節ユニット（ＪＵ）は固定部（ＦＰ）、並びに第１のヒンジ（ＨＧ１）及び第２のヒンジ（ＨＧ２）に連結される。
第１のサブヒンジ（ＳＧ１）及び第２のサブヒンジ（ＳＧ２）は、第１の支持部（ＳＰ１）及び第２の支持部（ＳＰ２）に連結される。
【００８７】
図１６を参照すると、第１の回転軸（ＲＸ１）及び第２の回転軸（ＲＸ２）を中心に、第１のサブヒンジ（ＳＧ１）及び第２のサブヒンジ（ＳＧ２）が回動してディスプレイ装置（ＤＤ）が折り畳まれる。
関節ユニット（ＪＵ）は、回動し、第１のサブ突出部（Ｐ１１）の側面は、互いに隣接して接触する。
図に示していないが、第２のサブ突出部（Ｐ２２）の側面も、互いに隣接して接触する。
【００８８】
図１７は、図８に示したＩＶ−ＩＶ’線に沿って切断した断面図であり、図１８は、図１２に示したＶ−Ｖ’線に沿って切断した断面図であり、図１９は、図１７に示されたディスプレイ装置の折り畳まれた状態を示す概略断面図であり、図２０は、折り畳まれたヒンジ部の斜視図である。
【００８９】
図１７を参照すると、第１のスライディングユニット（ＳＵ１）及び第２のスライディングユニット（ＳＵ２）は、第１の移動ホール（ＭＨ１）及び第２の移動ホール（ＭＨ２）に配置される。
第１のスライディングユニット（ＳＵ１）及び第２のスライディングユニット（ＳＵ２）は、第１の溝（Ｇ１）及び第２の溝（Ｇ２）を定義する第１のサブヒンジ（ＳＧ１）及び第２のサブヒンジ（ＳＧ２）の部分よりももっと下方に延長され得る。
【００９０】
図１８を参照すると、第２のサブヒンジ（ＳＧ２）よりも下に配置された第２のスライディングユニット（ＳＵ２）の下部の幅は、第２の方向（Ｄ２）を基準に、第２の移動ホール（ＭＨ２）よりも大きい。
図に示していないが、第１のサブヒンジ（ＳＧ１）よりも下に配置された第１のスライディングユニット（ＳＵ１）の下部の幅も、第１の移動ホール（ＭＨ１）より大きい。
【００９１】
図１７を参照すると、支持板（ＳＴ）は、固定部（ＦＰ）、第１のヒンジ（ＨＧ１）及び第２のヒンジ（ＨＧ２）、並びに第１のサブヒンジ（ＳＧ１）及び第２のサブヒンジ（ＳＧ２）上に配置される。
前述したように、開口部（ＯＰ）は、第１の回転軸（ＲＸ１）及び第２の回転軸（ＲＸ２）に重畳し得る。
【００９２】
支持板（ＳＴ）は、固定部（ＦＰ）、並びに第１のサブヒンジ（ＳＧ１）及び第２のサブヒンジ（ＳＧ２）に付着される。
例えば、支持板（ＳＴ）と固定部（ＦＰ）との間、並びに支持板（ＳＴ）と第１のサブヒンジ（ＳＧ１）と第２のサブヒンジ（ＳＧ２）との間に接着剤（ＡＤ）が配置される。
接着剤（ＡＤ）によって支持板（ＳＴ）は、固定部（ＦＰ）、並びに第１のサブヒンジ（ＳＧ１）及び第２のサブヒンジ（ＳＧ２）に付着される。
支持板（ＳＴ）は、第１のヒンジ（ＨＧ１）及び第２のヒンジ（ＨＧ２）に付着しない。
支持板（ＳＴ）上にシート部（ＳＨ）が配置される。
図に示していないが、シート部（ＳＨ）は、接着剤によって支持板（ＳＴ）に付着される。
シート部（ＳＨ）上にディスプレイモジュール（ＤＭ）が配置される。
ディスプレイモジュール（ＤＭ）は、第１の支持部（ＳＰ１）及び第２の支持部（ＳＰ２）上に配置される。
図に示していないが、ディスプレイモジュール（ＤＭ）は、接着剤によってシート部（ＳＨ）、並びに第１の支持部（ＳＰ１）及び第２の支持部（ＳＰ２）に付着され得る。
【００９３】
図１９を参照すると、第１の回転軸（ＲＸ１）及び第２の回転軸（ＲＸ２）を中心に、第１のヒンジ（ＨＧ１）及び第２のヒンジ（ＨＧ２）が回動してディスプレイ装置（ＤＤ）が折り畳まれる。
ディスプレイ装置（ＤＤ）は、ディスプレイモジュール（ＤＭ）が外部に露出するように外向きに折り畳まれる（ｏｕｔ−ｆｏｌｄｉｎｇ）。
ディスプレイ装置（ＤＤ）が折り畳まれるとき、第１のヒンジ（ＨＧ１）及び第２のヒンジ（ＨＧ２）は、第１の支持部（ＳＰ１）及び第２の支持部（ＳＰ２）に向かって移動する。
【００９４】
例えば、第１のスライディングユニット（ＳＵ１）及び第２のスライディングユニット（ＳＵ２）は、第１の移動ホール（ＭＨ１）及び第２の移動ホール（ＭＨ２）に沿って、第１の支持部（ＳＰ１）及び第２の支持部（ＳＰ２）に向かって移動する。
ディスプレイ装置（ＤＤ）が折り畳まれるとき、支持板（ＳＴ）に連結された第１のサブヒンジ（ＳＧ１）及び第２のサブヒンジ（ＳＧ２）、並びに第１のサブヒンジ（ＳＧ１）及び第２のサブヒンジ（ＳＧ２）に連結された第１の支持部（ＳＰ１）及び第２の支持部（ＳＰ２）は、折り畳まれる支持板（ＳＴ）によって上部方向に引っ張られ得る。
【００９５】
図１９を基準に、第１のスライディングユニット（ＳＵ１）及び第２のスライディングユニット（ＳＵ２）は、第１のサブヒンジ（ＳＧ１）及び第２のサブヒンジ（ＳＧ２）、並びに第１の支持部（ＳＰ１）及び第２の支持部（ＳＰ２）に比べて、相対的に下部方向に移動する。
図１９を基準に、第１のサブヒンジ（ＳＧ１）及び第２のサブヒンジ（ＳＧ２）、並びに第１の支持部（ＳＰ１）及び第２の支持部（ＳＰ２）は、第１のヒンジ（ＨＧ１）及び第２のヒンジ（ＨＧ２）に比べて相対的に上部方向に移動する。
【００９６】
図２０を参照すると、ヒンジ部（ＨＧ）が折り畳まれるとき、第１のヒンジ（ＨＧ１）及び第２のヒンジ（ＨＧ２）は、第１の支持部（ＳＰ１）及び第２の支持部（ＳＰ２）に向かって移動するため、第３の延長部（ＥＸ３）及び第４の延長部（ＥＸ４）は、第２ホーム（Ｇ２）の境界に隣接して配置される。
斜視図上では示していないが、第１の延長部（ＥＸ１）及び第２の延長部（ＥＸ２）も、第３の延長部（ＥＸ３）及び第４の延長部（ＥＸ４）のように、第１の溝（Ｇ１）の境界に隣接して配置される。
図１９を参照すると、開口部（ＯＰ）が第１の回転軸（ＲＸ１）及び第２の回転軸（ＲＸ２）に重畳するため、第１の回転軸（ＲＸ１）及び第２の回転軸（ＲＸ２）に重畳する支持板（ＳＴ）を容易に折り畳むことができる。
【００９７】
例えば、従来では、折り畳み領域（ＦＡ）の下に、折り畳み領域（ＦＡ）をサポートするための複数のサポートバー（ｓｕｐｐｏｒｔ  ｂａｒｓ）が配置され得る。
サポートバーは、第２の方向（Ｄ２）に延長し、第１の方向（Ｄ１）に配列されて、互いに回動可能に結合され得る。
しかし、サポートバーによって折り畳み領域（ＦＡ）の平坦度が不均一になる可能性がある。
また、折り畳み領域（ＦＡ）が折り畳まれるとき、サポートバーのエッジにおいて折り畳み領域（ＦＡ）の屈曲がひどくなり、折り畳み領域（ＦＡ）が損傷する可能性がある。
したがって、折り畳み領域（ＦＡ）が変形され得る。
【００９８】
しかし、本発明の実施形態によるディスプレイ装置では、折り畳み領域（ＦＡ）の下にサポートバーが配置されずに、平坦な構造を有する支持板（ＳＴ）とシート部（ＳＨ）が配置される。
支持板（ＳＴ）によって折り畳み領域（ＦＡ）を容易にサポートすることができ、可撓性シート部（ＳＨ）が折り畳み領域（ＦＡ）と支持板（ＳＴ）との間で緩衝作用を行う。
したがって、折り畳み領域（ＦＡ）の変形が防止される。
また、支持板（ＳＴ）が金属物質を含んでいるとしても、開口部（ＯＰ）によって、第１の回転軸（ＲＸ１）及び第２の回転軸（ＲＸ２）に重畳する支持板（ＳＴ）の部分が容易に折り畳まれる。
【００９９】
尚、本発明は、上述の実施形態に限られるものではない。本発明の技術的範囲から逸脱しない範囲内で多様に変更実施することが可能である。
【符号の説明】
【０１００】
Ｂ１、Ｂ２、Ｂ３    （第１〜第３）のボディ部
ＣＧ１、ＣＧ２    （第１、第２）の連結溝
ＣＮ    連結部
ＣＮ１、ＣＮ２、ＣＮ３、ＣＮ４    （第１〜第４）の連結部
ＣＮＨ    連結ホール
ＣＵ    締結ユニット
ＣＶ    カバー部
ＤＡ    表示領域
ＤＤ    ディスプレイ装置
ＤＭ    ディスプレイモジュール
ＤＳ    表示面
ＦＡ    折り畳み領域
ＦＰ    固定部
ＧＰ    溝部
ＨＧ    ヒンジ部
ＨＧ１、ＨＧ２    第１及び第２のヒンジ
ＪＵ    関節ユニット
ＭＨ１、ＭＨ２    第１及び第２の移動ホール
ＤＮＡ    非表示領域
ＮＦＡ１、ＮＦＡ２    （第１及び第２）の非折り畳み領域
Ｐ１、Ｐ２、Ｐ３    第１、第２、及び第３の突出部
ＰＴ１、ＰＴ２、ＰＴ３、ＰＴ４、ＰＴ５、ＰＴ６    （第１〜第６）の部分
ＲＸ１、ＲＸ２    （第１、第２）の回転軸
ＳＧ１、ＳＧ２    第１及び第２のサブヒンジ
ＳＨ    シート部
ＳＰ    支持部
ＳＰ１、ＳＰ２    第１及び第２の支持部
ＳＰ１＿１、ＳＰ１＿２    第１及び第２のサブ支持部
ＳＰ２＿１、ＳＰ２＿２    第３及び第４のサブ支持部
ＳＴ    支持板
ＳＵ１、ＳＵ２    第１及び第２のスライディングユニット
【図１】
2020184065.tif 000003
【図２】
2020184065.tif 000004
【図３】
2020184065.tif 000005
【図４】
2020184065.tif 000006
【図５】
2020184065.tif 000007
【図６】
2020184065.tif 000008
【図７】
2020184065.tif 000009
【図８】
2020184065.tif 000010
【図９】
2020184065.tif 000011
【図１０】
2020184065.tif 000012
【図１１】
2020184065.tif 000013
【図１２】
2020184065.tif 000014
【図１３】
2020184065.tif 000015
【図１４】
2020184065.tif 000016
【図１５】
2020184065.tif 000017
【図１６】
2020184065.tif 000018
【図１７】
2020184065.tif 000019
【図１８】
2020184065.tif 000020
【図１９】
2020184065.tif 000021
【図２０】
2020184065.tif 000022